(57)【要約】【課題】内容液の粘度が高い場合でも、液受部に回収した内容液を、液戻し口を介してスムーズに計量室に戻すことのできる液体計量キャップを提供する。【解決手段】容器本体１１に被着されて計量室１２を形成し、底部１２ａから立上がるノズル１５を備え、且つ天井部１２ｂに注出口１３を設けたキャップ本体１６と、キャップ本体１６にヒンジ１７ａ，１７ｂを介して連結し、注出口１３及びノズル１５の吐出口１５ａを開閉するカバーキャップ１８とを有し、注出口１３の周囲に液だれ防止堰１９とこれに囲まれる液受部２０を設け、液受部２０に液戻し口２１を設けてなる液体計量キャップ１０であって、液受部２０は、内容液を液戻し口２１に向けて流下させ得る幅ｂを有すると共に、カバーキャップ１８を閉じたときに、吐出口１５ａまわりに嵌着するインナシール２２の下端と液受部２０の底面２０ａとの間に幅ｂ以上の間隔ｓが保持される深さを有している。【選択図】図１
2007176589.tif 000002
【特許請求の範囲】
【請求項１】
容器本体の開口部に被着されると共に、計量室を形成し、容器本体の内部に連通していて計量室の底部から立ち上がるノズルを計量室内部に備え、且つ計量室の天井部に注出口を設けてなるキャップ本体と、キャップ本体にヒンジを介して連結していて、キャップ本体の注出口及び前記ノズルの吐出口を開閉するカバーキャップとを有し、且つキャップ本体の外面の前記注出口まわり部分に液だれ防止堰とこの堰に囲まれる液受部を設け、この液受部に前記計量室に連通する液戻し口を設けてなる液体計量キャップであって、
前記カバーキャップの内側面から下方に突出して、前記カバーキャップを閉じたときに前記ノズルの吐出口まわりに液密に嵌着するインナシールと、前記液だれ防止堰の内周面に液密に嵌着するアウタシールとが設けられており、
且つ前記液受部は、内容液を液戻し口に向けて流下させることが可能な幅を有していると共に、前記カバーキャップを閉じたときに、前記アウタシールの下端と当該液受部の底面との間に前記幅以上の間隔が保持される深さを有している液体計量キャップ。
【請求項２】
前記液受部の幅が２．０〜４．０ｍｍである請求項１記載の液体計量キャップ。
【請求項３】
前記液戻し口が、前記注出口まわりのヒンジ寄り部分で、前記注出口からの液注出方向と逆の位置に配置されると共に、前記液受部の底面は、前記液戻し口に向けて２．５度以上の下り勾配で傾斜する傾斜面となっている請求項１又は２記載の液体計量キャップ。
【請求項４】
前記内容液の粘度が１０．０〜３００ｍPａ・ｓ（２０℃）である請求項１〜３のいずれかに記載の液体計量キャップ。
【発明の詳細な説明】
【技術分野】
【０００１】
本発明は、液体洗剤等の内容液を容器本体に収容すると共に、容器本体をスクイズすることにより計量室に出した内容液を注出可能とする液体計量キャップに関する。
【背景技術】
【０００２】
従来より、容器本体の開口部に被着されると共に、計量室を形成し、容器の内部に連通していて計量室の底部から立ち上がるノズルを備え、且つ計量室の天井部に注出口を設けてなるキャップ本体と、キャップ本体にヒンジを介して連結していて、キャップ本体の注出口及びノズルの吐出口を開閉するカバーキャップとを有する液体計量キャップが知られている（例えば、特許文献１参照）。特許文献１に記載の液体計量キャップでは、容器本体から内容液を注出する場合には、使用者は可撓容器本体（スクイズ容器）を加圧することにて内容液をディップチューブ、ノズルから計量室に押し出し、計量室に一定量の内容液を計量した後、容器本体を傾けて、計量室内の内容液を注出口から注出する。
【０００３】
また、特許文献１に記載の液体計量キャップでは、計量室で計量した内容液を注出口から注出するとき、注出口まわりに内容液の液だれを生じ、この液だれが注出口まわりからキャップ本体の外周面の広い範囲に無秩序に流れ、計量キャップや容器本体を汚損するといった課題があったことから、このような汚損を防止できるようにした液体計量キャップも開発されている（例えば、特許文献２参照）。
【特許文献１】実開平６−１４０５４号公報
【特許文献２】特開平８−２１７１１８号公報
【発明の開示】
【発明が解決しようとする課題】
【０００４】
特許文献２に記載の液体計量キャップでは、キャップ本体の外面の注出口まわり部分に、液だれ防止堰とこの堰に囲まれる液受部を設け、この液受部に液だれした内容液を回収して、計量室と連通するように設けた液戻し口を介して計量室に戻すようになっており、これによって計量キャップや容器本体の液だれした内容液による汚損を効果的に回避することが可能であるが、特に内容液が界面活性剤を含有したり、粘性がある場合には、その粘性又は表面張力により、回収された内容液が液受部に滞留しやすくなって計量室に戻すことが難しくなることから、さらなる改良が望まれている。
【０００５】
本発明は、内容液が界面活性剤を含有したり粘性がある場合でも、液受部に回収した液だれした内容液を、液戻し口を介してスムーズに計量室に戻すことのできる液体計量キャップを提供することを目的とする。
【課題を解決するための手段】
【０００６】
本発明は、容器本体の開口部に被着されると共に、計量室を形成し、容器本体の内部に連通していて計量室の底部から立ち上がるノズルを計量室内部に備え、且つ計量室の天井部に注出口を設けてなるキャップ本体と、キャップ本体にヒンジを介して連結していて、キャップ本体の注出口及び前記ノズルの吐出口を開閉するカバーキャップとを有し、且つキャップ本体の外面の前記注出口まわり部分に液だれ防止堰とこの堰に囲まれる液受部を設け、この液受部に前記計量室に連通する液戻し口を設けてなる液体計量キャップであって、前記カバーキャップの内側面から下方に突出して、前記カバーキャップを閉じたときに前記ノズルの吐出口まわりに液密に嵌着するインナシールと、前記液だれ防止堰の内周面に液密に嵌着するアウタシールとが設けられており、且つ前記液受部は、内容液を液戻し口に向けて流下させることが可能な幅を有していると共に、前記カバーキャップを閉じたときに、前記アウタシールの下端と当該液受部の底面との間に前記幅以上の間隔が保持される深さを有している液体計量キャップを提供することにより、上記目的を達成したものである。
【発明の効果】
【０００７】
本発明の液体計量キャップによれば、内容液が界面活性剤を含有したり粘性がある場合でも、液受部に回収した液だれした内容液を、液戻し口を介してスムーズに計量室に戻すことができる。
【発明を実施するための最良の形態】
【０００８】
図１，図２に示す本発明の好ましい一実施形態に係る液体計量キャップ１０は、例えば内容液として粘度が１０．０〜３００ｍPａ・ｓ（２０℃）程度の液体洗剤を収容した容器本体１１の口首部１１ａに装着して用いられ、当該液体計量キャップ１０を容器本体１１から取り外すことなく、容器本体１１に取りつけたままの状態で、容器本体１１を手指で押圧（スクイズ）することによって内容液を計量室１２に汲み上げて計量した後に、計量した内容液を注出口１３を介して例えば洗濯機等に容易に投入することを可能にするものである。また本実施形態の液体計量キャップ１０は、例えば容器本体１１を傾けて注出口１３から内容液を注出する際や、容器本体１１の傾きを戻して内容液の注出をやめる際に、内容液が注出口１３のまわりを伝って計量室１２の外側に液だれしても、液だれした内容液を計量キャップ１０や容器本体１１の外周面に広範囲に付着させるこことなく回収して、計量キャップ１０と容器本体１１とからなる容器の汚損を効果的に回避できるようにする機能を備えるものである。
【０００９】
そして、本実施形態の液体計量キャップ１０は、容器本体１１の口首部１１ａ先端の開口部１４に被着されると共に、計量室１２を形成し、容器本体１１の内部に連通していて計量室１２の底部１２ａから立ち上がるノズル１５を計量室１２の内部に備え、且つ計量室１２の天井部１２ｂに注出口１３を設けてなるキャップ本体１６と、キャップ本体１６にヒンジ１７ａ，１７ｂを介して連結していて、キャップ本体１６の注出口１３及びノズル１５の吐出口１５ａを開閉するカバーキャップ１８とを有し、且つキャップ本体１６の外面の注出口１３まわり部分に液だれ防止堰１９とこの堰１９に囲まれる液受部２０を設け、この液受部２０に計量室１２に連通する液戻し口２１を設けてなる液体計量機能を備えるキャップ１０であって、カバーキャップ１８の内側面から下方に突出して、カバーキャップ１８を閉じたときにノズル１５の吐出口１５ａまわりに液密に嵌着するインナシール２２と、液だれ防止堰１９の内周面に液密に嵌着するアウタシール２３とが設けられており、且つ液受部２０は、内容液を液戻し口２１に向けて流下させることが可能な幅ｂを有していると共に、カバーキャップ１８を閉じたときに、アウタシール２３の下端と当該液受部２０の底面２０ａとの間に幅ｂ以上の間隔ｓが保持される深さを有している。
【００１０】
本実施形態の液体計量キャップ１０を構成するキャップ本体１６は、上述のように、容器本体１１の口首部１１ａ先端の開口部１４に被着されるとともに、計量室１２を形成する。また容器本体１１の内部に連通していて計量室１２の底部１２ａから立ち上がるノズル１５を備え、且つ計量室１２の天井部１２ｂに先端開口が注出口１３となった筒状の注出口部材２４を設けてある。尚、キャップ本体１６には、計量室の底部１２ａに、容器本体１１の内部をノズル１５に連通するディップチューブ２５を設け、このディップチューブ２５を容器本体１１の底部まで延在せしめている。
【００１１】
また、キャップ本体１６は、計量室１２の下部分を形成するキャップ本体下部２６と、計量室１２の上部分を形成するキャップ本体上部２７とに２分されている。キャップ本体下部２６は、そのアウタリング２６ａを容器本体１１の口首部１１ａの外周面に螺着して容器本体１１に取り付けられている。尚、キャップ本体下部２６は、そのインナリング２６ｂと容器本体１１の開口部１４の内周縁部との間に短筒状のシールリング２８を挟着し、これによって容器本体１１と液密に結合している。
【００１２】
キャップ本体上部２７は、その下半部のアウタリング２７ａをキャップ本体下部２６のアウタリング２６ａまわりにオーバーラップ状に嵌着し、その下端係止部２７ｂをキャップ本体下部２６のアウタリング２６ａの下端面に係止して抜け止めとしている。また、キャップ本体上部２６のアウタリング２６ａは、キャップ本体下部２６のアウタリング２６ａとの間に高さの低い凹凸面による回り止め部２９を介在させて嵌着されている。即ち、キャップ本体１６は、キャップ本体下部２６とキャップ本体上部２２とを上記下端係止部２７ｂ及び回り止め部２９を用いて軸方向にも周方向にも一体結合し、全体を一体で容器本体１１の口首部１１ａに着脱できるようにしている。尚、キャップ本体上部２７は、そのインナリング２７ｃをキャップ本体下部２６のアウタリング２６ａの上端面に設けてある嵌合溝２６ｃに液密に嵌合している。尚、キャップ本体上部２７は、後述するようにポリプロピレン等の透明樹脂材料にて形成され、その上半部の計量目盛部に、計量目盛線３０を付し、計量室１２内の液量を外部から透視することにて計量可能としている。
【００１３】
また、本実施形態では、キャップ本体１６は、ノズル１５の吐出口１５ａを、注出口１３まわりのヒンジ１７ａ寄り部分で、注出口１３からの液注出方向Ｘと逆の位置に配置している。
【００１４】
さらにまた、本実施形態では、キャップ本体１６は、キャップ本体上部２７における計量室１２の天井部１２ｂにて、液だれ防止堰１９の内側に、当該液だれ防止堰１９と共に液受部２０を形成する内側壁３１が設けられている。注出口１３を備える注出口部材２４の下端部分に設けられたコの字断面形状の基端溝２４ａによって、内側壁３１の上端部を挟み込みながらが、注出口部材２４を内側壁３１に液密に係着することにより、計量室１２の天井部１２ｂから上方に突出して、注出口１３が設けられている。ここで、注出口１３を備える注出口部材２４の下端部を内側壁３１の内壁（及び上部）にのみ液密に挿入嵌合させて計量室１２の天井部１２ｂの上方に注出口１３を設けることが好ましい。この場合には、内側壁３１の外周面と液だれ防止堰１９との間に注出口部材２４が配置せず、内側壁３１の外周面から液だれ防止堰１９との間を広くとることが可能になるとともに、注出口部材２４の下端部によって液だれ防止堰１９によって囲まれる液受部２０の天井部の一部を覆うこともなくなる。
【００１５】
キャップ本体１６と共に本実施形態の液体計量キャップ１０を構成するカバーキャップ１８は、キャップ本体１１にメインヒンジ１７ａ及びサブヒンジ１７ｂを介して一体に連結されていて、注出口部材２４の上端の注出口１３及びノズル１５の吐出口１５ａを開閉する。すなわち、カバーキャップ１８は、インナシール２２とアウタシール２３とを有しており、カバーキャップ１８を閉じたときに、インナシール２２をノズル１５の吐出口１５ａまわりに液密に嵌着させて、計量室１２を容器本体１１の内部と液密に仕切り、またアウタシール２３を注出口１３或いは注出口部材２４まわりの液だれ防止堰１９の内周面に液密に嵌着させて、計量室１５を外部空間と液密に仕切ることを可能としている（図１参照）。
【００１６】
そして、本実施形態では、キャップ本体１６には、キャップ本体上部２６における計量室１２の天井部１２ｂ外面の注出口１３まわり部分に、液だれ防止堰１９と、この堰１９に囲まれる液受部２０とが設けられており、液受部２０は、内容液を液戻し口２１に向けて流下させることが可能な幅ｂを有していると共に、カバーキャップ１８を閉じたときに、アウタシール２３の下端と当該液受部２０の底面２０ａとの間に液受部２０の幅ｂ以上の間隔が保持される深さを有している。
【００１７】
また、本実施形態では、液受部２０を計量室１２に連通する液戻し口２１は、注出口１３或いは注出口部材２４まわりのヒンジ１７ａ，１７ｂ寄り部分で、注出口１３からの液注出方向Ｘと逆の位置に配置されると共に、液受部２０の底面２０ａは、液戻し口２１に向けて２．５度以上の下り勾配で傾斜する傾斜面となっている。尚、容器をコンパクトにする要請から液受部２０の底面２０ａの液戻し口２１に向けた傾斜面の勾配は５．０度以下とすることが好ましい。
【００１８】
すなわち、液受部２０は、液だれ防止堰１９の下端と内側壁３１の下端とを円環帯板状の底盤３２によって繋ぐことにより、例えば２．０〜４．０ｍｍ程度の相当の幅ｂを有する、注出口部材２４の下端部に沿って円環状に連続するコの字断面形状の環状凹部として形成されることになる。ここで、液受部２０の幅ｂは、２．０〜４．０ｍｍとすることが好ましく、これにより、液受部の側にたれた内容液（液だれ）を確実に液受部２０に回収することができるとともに、ヒンジを介して連結したカバーキャップ１８をコンパクトにして、容器全体の大きさを家庭で使用する製品サイズに設計することができる。
【００１９】
また、液受部２０は、カバーキャップ１８を閉じたときに、アウタシール２３の下端と当該液受部２０の底面２０ａとの間に液受部２０の幅ｂ以上の間隔ｓが保持される深さを備えていることにより、液受け部の側にたれた内容液を確実に液受部２０の底面２０ａに到達させ、液戻し口２１を介して計量室１２に戻しやすくするとともに、カバーキャップ１８を閉じた状態で、アウタシール２３に液を付着させにくくすることによって、再度カバーキャップ１８を開いたときにアウタシール２３に付着した液がたれたりアウタシールの外部にまわりこむことを防止する。
【００２０】
さらに、液戻し口２１は、注出口１３からの液注出方向Ｘと逆の位置に配置されていることにより、容器本体１１を液注出方向Ｘに傾ける液注出時に、計量室１２内の液体が液戻し口２１から液受部２０の側に漏出することを防止し、計量室１２で計量された液体を確実に注出口１３から注出させることが可能になると共に、液受部２０の底面２０ａを液戻し口２１に向けて２．５度以上の下り勾配とすることにより、粘性及び表面張力が大きい内容液においても液だれした液を確実に液戻し口２１を介し計量室１２に戻すという利点が得られる。
【００２１】
なお、本実施形態では、例えば、容器本体１１、キャップ本体１６のキャップ本体下部２６、キャップ本体上部２７、カバーキャップ１８をポリプロピレンにて形成し、ディップチューブ２５、シールリング２８を低密度ポリエチレン（ＬＤＰＥ）にて形成することができる。また、注出口部材２４を、キャップ本体上部２７の形成材料（例えばポリプロピレン）より撥水性が高く、且つ柔軟な材料（例えば低密度ポリエチレン（ＬＤＰＥ））にて形成し、注出口１３の液注出方向Ｘの縁部にカール状エッジを樹脂成形することもできる。
【００２２】
上述の構成を備える本実施形態の液体計量キャップ１０では、容器本体１１に液体洗剤を充填した後、容器本体１１の開口部１４を覆って口首部１１ａにキャップ１２を螺着する。容器本体１１から液体洗剤を注出する場合には、カバーキャップ１８をヒンジ１７ａ，１７ｂを中心として回転させる。そして、使用者により容器本体１１を加圧することにて液体洗剤をディップチューブ２５、ノズル１５から計量室１２に押し出す。計量室１２に一定量の液体洗剤を計量した後、容器本体１１を傾けて、計量室１２内の液体洗剤を注出口１３から注出する。容器本体１１への内容物の詰め替え時には、キャップ１０を容器本体１１の口首部１１ａから取り外し、キャップ１０の取り外された容器本体１１の開口部１４から新たに液体洗剤を充填する。
【００２３】
そして、本実施形態の液体計量キャップ１０によれば、内容液としての液体洗剤が例えば１０．０〜３００ｍPａ・ｓ（２０℃）程度の粘性を備える場合でも、例えば容器本体１１を傾けて注出口１３から内容液を注出する際や、容器本体１１の傾きを戻して内容液の注出をやめる際に、内容液が注出口１３のまわりを伝って計量室１２の外側に液だれしても、液だれした液体洗剤を液受部２０に回収し、回収した液体洗剤を、液戻し口２１を介してスムーズに計量室１２に戻すことが可能になる。
【００２４】
すなわち、本実施形態の液体計量キャップ１０によれば、液受部２０が、回収した液体洗剤を液戻し口２１に向けて流下させるのに十分な幅ｂを有していると共に、カバーキャップ１８を閉じたときに、アウタシール２３の下端と当該液受部２０の底面２０ａとの間に液受部２０の幅ｂ以上の間隔ｓが保持される深さを有している。したがって、界面活性剤を含有する内容液、又は粘性のある内容液は（例えば、液体洗剤の場合は）、幅の狭い流路ではその粘性又は表面張力によって流路に滞留しやすく、液戻し口２１に向けて流下し難い場合でも、液だれ防止堰１９の内周面にアウタシール２３の下端部が密着して流路の幅が狭くなった部分の下方に、相当の幅及び深さを有する流路が保持されるので、この大きな断面の流路を介して、回収した液体洗剤を液戻し口２１に向けてスムーズに流下させて、計量室１２に容易に戻すことが可能になる。
【００２５】
なお、本発明は上記実施形態に限定されることなく種々の変更が可能である。例えば、液受部の底面を、注出口に向けて２．５度以上の下り勾配で傾斜する傾斜面とする必要は必ずしもなく、また容器本体に収容される内容液は、液体洗剤以外の計量して用いる液体であっても良い。さらに、収容される内容液は、粘度が１０．０〜３００ｍPａ・ｓ（２０℃）のものでなくても良い。
【図面の簡単な説明】
【００２６】
【図１】本発明の好ましい一実施形態に液体計量キャップをカバーキャップを閉じた状態で示す断面図である。
【図２】本発明の好ましい一実施形態に液体計量キャップをカバーキャップを開いた状態で示す断面図である。
【符号の説明】
【００２７】
１０  液体計量キャップ
１１  容器本体
１２  計量室
１２ａ  計量室の底部
１２ｂ  計量室の天井部
１３  注出口
１４  容器本体の開口部
１５  ノズル
１５ａ  ノズルの吐出口
１６  キャップ本体
１７ａ  メインヒンジ
１７ｂ  サブヒンジ
１８  カバーキャップ
１９  液だれ防止堰
２０  液受部
２０ａ  液受部の底面
２１  液戻し口
２２  インナシール
２３  アウタシール
２４  注出口部材
２５  ディップチューブ
２６  キャップ本体下部
２７  キャップ本体上部
３０  計量目盛線
３１  内側壁
３２  底盤
ｂ    液受部の幅
ｓ    アウタシールの下端と液受部の底面との間の間隔
Ｘ    液注出方向
【図１】
2007176589.tif 000003
【図２】
2007176589.tif 000004